【手続補正書】
【提出日】平成26年11月10日(2014.11.10)
【手続補正１】
【補正対象書類名】明細書
【補正対象項目名】発明の名称
【補正方法】変更
【補正の内容】
【発明の名称】情報処理システム、及びその制御方法、情報処理装置、及びその制御方法、並びにプログラム
【手続補正２】
【補正対象書類名】明細書
【補正対象項目名】０００１
【補正方法】変更
【補正の内容】
【０００１】
本発明は、複数の帳票データを検索することが可能な情報処理システム、及びその制御方法、情報処理装置、及びその制御方法、並びにプログラムに関する。
【手続補正３】
【補正対象書類名】明細書
【補正対象項目名】００１１
【補正方法】変更
【補正の内容】
【００１１】
そこで、本発明は、検索しようとする領域名に対応する検索領域が設定されていない帳票データに対して、簡単に一時的な検索領域の設定を行うことが可能な仕組みを提供することを目的とする。
【手続補正４】
【補正対象書類名】明細書
【補正対象項目名】００１２
【補正方法】変更
【補正の内容】
【００１２】
上記目的を達成するために、請求項１記載の情報処理システムは、複数の帳票データと、前記帳票データを検索するために設定される前記帳票データ上の検索範囲を示す検索領域と当該検索領域の名称を示す領域名とをそれぞれ対応付けて記憶する記憶手段と、前記領域名の選択を受け付ける領域名選択受付手段と、前記記憶手段に記憶された帳票データのうち、前記領域名選択受付手段で選択を受け付けた領域名が対応付けられていない帳票データを抽出する抽出手段と、前記抽出手段で抽出した帳票データであって一時的な検索領域を設定すべくユーザから選択を受け付けた帳票データに対して、前記領域名選択受付手段で選択を受け付けた領域名に対応する検索領域の指定を受け付ける検索領域指定受付手段と、前記検索領域指定受付手段で指定を受け付けた前記検索領域と、前記領域名選択受付手段で選択を受け付けた領域名と、前記抽出手段で抽出した帳票データとを対応するよう一時的に検索領域を設定する設定手段とを備えることを特徴とする。
【手続補正５】
【補正対象書類名】明細書
【補正対象項目名】００１３
【補正方法】変更
【補正の内容】
【００１３】
上記目的を達成するために、請求項５記載の情報処理システムの制御方法は、複数の帳票データと、前記帳票データを検索するために設定される前記帳票データ上の検索範囲を示す検索領域と当該検索領域の名称を示す領域名とをそれぞれ対応付けて記憶する記憶手段を備える情報処理装置を含む情報処理システムの制御方法であって、前記領域名の選択を受け付ける領域名選択受付工程と、前記記憶手段に記憶された帳票データのうち、前記領域名選択受付工程で選択を受け付けた領域名が対応付けられていない帳票データを抽出する抽出工程と、前記抽出工程で抽出した帳票データであって一時的な検索領域を設定すべくユーザから選択を受け付けた帳票データに対して、前記領域名選択受付工程で選択を受け付けた領域名に対応する検索領域の指定を受け付ける検索領域指定受付工程と、前記検索領域指定受付工程で指定を受け付けた前記検索領域と、前記領域名選択受付工程で選択を受け付けた領域名と、前記抽出工程で抽出した帳票データとを対応するよう一時的に検索領域を設定する設定工程とを備えることを特徴とする。
【手続補正６】
【補正対象書類名】明細書
【補正対象項目名】００１４
【補正方法】変更
【補正の内容】
【００１４】
上記目的を達成するために、請求項７記載の情報処理装置は、複数の帳票データと、前記帳票データを検索するために設定される前記帳票データ上の検索範囲を示す検索領域と当該検索領域の名称を示す領域名とをそれぞれ対応付けて記憶する記憶手段と、前記領域名の選択を受け付ける領域名選択受付手段と、前記記憶手段に記憶された帳票データのうち、前記領域名選択受付手段で選択を受け付けた領域名が対応付けられていない帳票データを抽出する抽出手段と、前記抽出手段で抽出した帳票データであって一時的な検索領域を設定すべくユーザから選択を受け付けた帳票データに対して、前記領域名選択受付手段で選択を受け付けた領域名に対応する検索領域の指定を受け付ける検索領域指定受付手段と、前記検索領域指定受付手段で指定を受け付けた前記検索領域と、前記領域名選択受付手段で選択を受け付けた領域名と、前記抽出手段で抽出した帳票データとを対応するよう一時的に検索領域を設定する設定手段とを備えることを特徴とする。
【手続補正７】
【補正対象書類名】明細書
【補正対象項目名】００１５
【補正方法】変更
【補正の内容】
【００１５】
上記目的を達成するために、請求項８記載の情報処理装置の制御方法は、複数の帳票データと、前記帳票データを検索するために設定される前記帳票データ上の検索範囲を示す検索領域と当該検索領域の名称を示す領域名とをそれぞれ対応付けて記憶する記憶手段を備える情報処理装置の制御方法であって、前記領域名の選択を受け付ける領域名選択受付工程と、前記記憶手段に記憶された帳票データのうち、前記領域名選択受付工程で選択を受け付けた領域名が対応付けられていない帳票データを抽出する抽出工程と、前記抽出工程で抽出した帳票データであって一時的な検索領域を設定すべくユーザから選択を受け付けた帳票データに対して、前記領域名選択受付工程で選択を受け付けた領域名に対応する検索領域の指定を受け付ける検索領域指定受付工程と、前記検索領域指定受付工程で指定を受け付けた前記検索領域と、前記領域名選択受付工程で選択を受け付けた領域名と、前記抽出工程で抽出した帳票データとを対応するよう一時的に検索領域を設定する設定工程とを備えることを特徴とする。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】特許請求の範囲
【補正対象項目名】全文
【補正方法】変更
【補正の内容】
【特許請求の範囲】
【請求項１】
複数の帳票データと、前記帳票データを検索するために設定される前記帳票データ上の検索範囲を示す検索領域と当該検索領域の名称を示す領域名とをそれぞれ対応付けて記憶する記憶手段と、
前記領域名の選択を受け付ける領域名選択受付手段と、
前記記憶手段に記憶された帳票データのうち、前記領域名選択受付手段で選択を受け付けた領域名が対応付けられていない帳票データを抽出する抽出手段と、
前記抽出手段で抽出した帳票データであって一時的な検索領域を設定すべくユーザから選択を受け付けた帳票データに対して、前記領域名選択受付手段で選択を受け付けた領域名に対応する検索領域の指定を受け付ける検索領域指定受付手段と、
前記検索領域指定受付手段で指定を受け付けた前記検索領域と、前記領域名選択受付手段で選択を受け付けた領域名と、前記抽出手段で抽出した帳票データとを対応するよう一時的に検索領域を設定する設定手段と
を備えることを特徴とする情報処理システム。
【請求項２】
前記領域名選択受付手段は、検索の対象とする検索領域を示す領域名の選択を更に受け付け、
前記領域名選択受付手段で選択を受け付けた領域名に対応する検索領域に対して検索をさせるための検索条件の入力を受け付ける検索条件入力手段と、
前記領域名選択受付手段で選択された前記記憶手段で記憶する前記領域名に対応する検索領域と、前記設定手段で一時的に設定された当該領域名に対応する検索領域とに対して、前記検索条件入力手段で入力を受け付けた前記検索条件で検索処理を行わせる検索手段と
を更に備えることを特徴とする請求項１に記載の情報処理システム。
【請求項３】
前記情報処理システムは、
前記記憶手段に記憶された複数の帳票データの選択を受け付ける帳票データ選択受付手段を更に備え、
前記抽出手段は、前記帳票データ選択受付手段で選択を受け付けた前記帳票データのうち、前記領域名選択受付手段で選択を受け付けた領域名が対応付けられていない帳票データを抽出する
ことを特徴とする請求項１又は２に記載の情報処理システム。
【請求項４】
ユーザからの情報処理システムのログアウトを受け付けるログアウト手段
を更に備え、
前記設定手段は、前記ログアウト手段でログアウトを受け付けた場合に、前記設定手段で一時的に設定された検索領域を削除することを特徴とする請求項１乃至３のいずれか１項に記載の情報処理システム。
【請求項５】
複数の帳票データと、前記帳票データを検索するために設定される前記帳票データ上の検索範囲を示す検索領域と当該検索領域の名称を示す領域名とをそれぞれ対応付けて記憶する記憶手段を備える情報処理装置を含む情報処理システムの制御方法であって、
前記領域名の選択を受け付ける領域名選択受付工程と、
前記記憶手段に記憶された帳票データのうち、前記領域名選択受付工程で選択を受け付けた領域名が対応付けられていない帳票データを抽出する抽出工程と、
前記抽出工程で抽出した帳票データであって一時的な検索領域を設定すべくユーザから選択を受け付けた帳票データに対して、前記領域名選択受付工程で選択を受け付けた領域名に対応する検索領域の指定を受け付ける検索領域指定受付工程と、
前記検索領域指定受付工程で指定を受け付けた前記検索領域と、前記領域名選択受付工程で選択を受け付けた領域名と、前記抽出工程で抽出した帳票データとを対応するよう一時的に検索領域を設定する設定工程と
を備えることを特徴とする情報処理システムの制御方法。
【請求項６】
複数の帳票データと、前記帳票データを検索するために設定される前記帳票データ上の検索範囲を示す検索領域と当該検索領域の名称を示す領域名とをそれぞれ対応付けて記憶する記憶手段を備える情報処理装置を含む情報処理システムの制御方法をコンピュータに実行させるためプログラムであって、
前記情報処理システムを、
前記領域名の選択を受け付ける領域名選択受付手段と、
前記記憶手段に記憶された帳票データのうち、前記領域名選択受付手段で選択を受け付けた領域名が対応付けられていない帳票データを抽出する抽出手段と、
前記抽出手段で抽出した帳票データであって一時的な検索領域を設定すべくユーザから選択を受け付けた帳票データに対して、前記領域名選択受付手段で選択を受け付けた領域名に対応する検索領域の指定を受け付ける検索領域指定受付手段と、
前記検索領域指定受付手段で指定を受け付けた前記検索領域と、前記領域名選択受付手段で選択を受け付けた領域名と、前記抽出手段で抽出した帳票データとを対応するよう一時的に検索領域を設定する設定手段
として機能させることを特徴とするプログラム。
【請求項７】
複数の帳票データと、前記帳票データを検索するために設定される前記帳票データ上の検索範囲を示す検索領域と当該検索領域の名称を示す領域名とをそれぞれ対応付けて記憶する記憶手段と、
前記領域名の選択を受け付ける領域名選択受付手段と、
前記記憶手段に記憶された帳票データのうち、前記領域名選択受付手段で選択を受け付けた領域名が対応付けられていない帳票データを抽出する抽出手段と、
前記抽出手段で抽出した帳票データであって一時的な検索領域を設定すべくユーザから選択を受け付けた帳票データに対して、前記領域名選択受付手段で選択を受け付けた領域名に対応する検索領域の指定を受け付ける検索領域指定受付手段と、
前記検索領域指定受付手段で指定を受け付けた前記検索領域と、前記領域名選択受付手段で選択を受け付けた領域名と、前記抽出手段で抽出した帳票データとを対応するよう一時的に検索領域を設定する設定手段と
を備えることを特徴とする情報処理装置。
【請求項８】
複数の帳票データと、前記帳票データを検索するために設定される前記帳票データ上の検索範囲を示す検索領域と当該検索領域の名称を示す領域名とをそれぞれ対応付けて記憶する記憶手段を備える情報処理装置の制御方法であって、
前記領域名の選択を受け付ける領域名選択受付工程と、
前記記憶手段に記憶された帳票データのうち、前記領域名選択受付工程で選択を受け付けた領域名が対応付けられていない帳票データを抽出する抽出工程と、
前記抽出工程で抽出した帳票データであって一時的な検索領域を設定すべくユーザから選択を受け付けた帳票データに対して、前記領域名選択受付工程で選択を受け付けた領域名に対応する検索領域の指定を受け付ける検索領域指定受付工程と、
前記検索領域指定受付工程で指定を受け付けた前記検索領域と、前記領域名選択受付工程で選択を受け付けた領域名と、前記抽出工程で抽出した帳票データとを対応するよう一時的に検索領域を設定する設定工程と
を備えることを特徴とする情報処理装置の制御方法。
【請求項９】
複数の帳票データと、前記帳票データを検索するために設定される前記帳票データ上の検索範囲を示す検索領域と当該検索領域の名称を示す領域名とをそれぞれ対応付けて記憶する記憶手段を備える情報処理装置の制御方法をコンピュータに実行させるためプログラムであって、
前記情報処理装置を、
前記領域名の選択を受け付ける領域名選択受付手段と、
前記記憶手段に記憶された帳票データのうち、前記領域名選択受付手段で選択を受け付けた領域名が対応付けられていない帳票データを抽出する抽出手段と、
前記抽出手段で抽出した帳票データであって一時的な検索領域を設定すべくユーザから選択を受け付けた帳票データに対して、前記領域名選択受付手段で選択を受け付けた領域名に対応する検索領域の指定を受け付ける検索領域指定受付手段と、
前記検索領域指定受付手段で指定を受け付けた前記検索領域と、前記領域名選択受付手段で選択を受け付けた領域名と、前記抽出手段で抽出した帳票データとを対応するよう一時的に検索領域を設定する設定手段
として機能させることを特徴とするプログラム。